(57)【要約】【課題】建物の壁面を構成する壁体ガラス等のパネルを構造体に取り付ける装置について、取付け信頼性を向上させること。【解決手段】本考案のパネル取付装置によると、一端に球面を有し他端に雄ネジを設けたシャフト６Ａと、一端の内周面に前記シャフトの球面６２と揺動可能に嵌合する球面状の凹部８１を有し、他端の内周面に前記他端側に向けて漸次拡径する孔加工が施された遊び部８４を有し、前記他端の外周面に球面８２を有する第一シャフト受け部材８Ａと、一端の内周面に前記第一シャフト受け部材の他端側の球面８２を受ける球面状の凹部７１を有する第二シャフト受け部材７と、を有するユニバーサルユニット９Ａを備え、前記シャフトの球面６２と前記第一シャフト受け部材８Ａの凹部８１とが摺接し、且つ前記第一シャフト受け部材の他端側の球面８２と前記第二シャフト受け部材の凹部７１とが摺接することを特徴している。【選択図】図１
0003118637.tif 000002
【実用新案登録請求の範囲】
【請求項１】
一端に球面を有し他端に雄ネジを設けたシャフトと、
一端の内周面に前記シャフトの球面と揺動可能に嵌合する球面状の凹部を有し、他端の内周面に前記他端側に向けて漸次拡径する孔加工が施された遊び部を有し、前記他端の外周面に球面を有する第一シャフト受け部材と、
一端の内周面に前記第一シャフト受け部材の他端側の球面を受ける球面状の凹部を有する第二シャフト受け部材と、
を有するユニバーサルユニットを備え、
前記シャフトの球面と前記第一シャフト受け部材の凹部とが摺接し、且つ前記第一シャフト受け部材の他端側の球面と前記第二シャフト受け部材の凹部とが摺接することを特徴とするパネル取付装置。
【請求項２】
一端に球面を有し他端に雌ネジを設けたシャフトと、
一端の内周面に前記シャフトの球面と揺動可能に嵌合する球面状の凹部を有し、他端の内周面に前記他端側に向けて漸次拡径する孔加工が施された遊び部を有し、前記他端の外周面に球面を有する第一シャフト受け部材と、
一端の内周面に前記第一シャフト受け部材の他端側の球面を受ける球面状の凹部を有する第二シャフト受け部材と、
を有するユニバーサルユニットを備え、
前記シャフトの球面と前記第一シャフト受け部材の凹部とが摺接し、且つ前記第一シャフト受け部材の他端側の球面と第二シャフト受け部材の凹部とが摺接することを特徴とするパネル取付装置。
【請求項３】
前記第二シャフト受け部材は、他端に雌ネジを有し、前記シャフトと螺着することを特徴とする請求項１又は２に記載のパネル取付装置。
【請求項４】
一端に平面形状を有し、他端の内周面に雌ネジを設け、前記他端の外周面には雄ネジを設けたハウジングと、
前記ハウジングとの間でパネルを挟持する前記ハウジングの外周面の雄ネジと螺合する雌ネジを有する化粧ナットと、
パネルの貫通孔と前記ハウジングとの間に介装されるパネルライナーと、
前記化粧ナットとパネルとの間に介装されるワッシャーとを備えることを特徴とする請求項１又は２に記載のパネル取付装置。
【考案の詳細な説明】
【技術分野】
【０００１】
本考案は、パネル取付け装置に関し、特に、建物の壁面を構成するガラス等の壁体パネルを建物の構造体に連結して支持するための建物構造物用のパネル取付装置に関する。
【背景技術】
【０００２】
近年、ガラス等の壁体パネルを建物の構造体に直接連結する外壁工法が注目を浴びてきている。この外壁工法によると、建物の壁面におけるガラス面積の占有率が大きくなり、採光率が高くなる上、意匠的にも美観を与えるので、高層ビルにおいても次々と採用されている。
【０００３】
図１３に下記特許文献１に開示されている従来の壁体ガラス取付け金具の一例を示す。図１３に示すように、当該壁体ガラス取付け金具においては、壁体ガラスに皿孔加工した取付け用貫通孔を施し、前記皿孔部に壁体ガラス取付け金具を装着して建造物の壁面を形成する壁体ガラスと建物の構造体とを連結して支持する取付け構造であり、壁体ガラス面と壁体ガラス取付け金具の室外側面とを面一とすることにより、意匠性に優れた壁面が形成されている。
【０００４】
また、当該壁体ガラス取付け金具は、頭部が球面を有するボルトと、このボルト頭部の球面を包みこむように嵌合する球面状の凹部を有するソケット部とから構成され、前記ボルト頭部の球面が回転可能にソケット部の凹部に嵌合されることによって、壁体ガラスは揺動自在に壁体ガラス取付け金具によって支持されている。
【０００５】
さらに、当該壁体ガラス取付け金具は、ソケット部にボルト頭部が貫通する開口部を有し、開口部には皿型の加工が施された蓋体が螺着されることによって、前記ボルトが抜け出すことを防止すると共に、水密性を確保するように構成されている。
【特許文献１】特開平８−２７９３１号公報
【考案の開示】
【考案が解決しようとする課題】
【０００６】
しかし、特許文献１に開示された従来の壁体ガラス取付け金具では、揺動可能に摺接する球面部が、ボルト頭部とソケット部の凹部との摺接部のみであるため、壁体ガラスの揺動による応力がボルト頭部とソケット部の凹部との摺接部の一箇所に集中すること、特に壁体ガラス取付け金具に対して圧縮する方向にかかる外部応力をボルトが直接受けることとなり、ボルトに荷重がかかることから、壁体ガラスの支持、取付け上の信頼性に問題があった。
【課題を解決するための手段】
【０００７】
そこで、本考案は上記課題を解決するためになされたものであり、パネルの取り付けの信頼性が高いパネル取付け装置を提供するものである。
【０００８】
本考案によると、
一端に球面を有し他端に雄ネジを設けたシャフトと、
一端の内周面に前記シャフトの球面と揺動可能に嵌合する球面状の凹部を有し、他端の内周面に前記他端側に向けて漸次拡径する孔加工が施された遊び部を有し、前記他端の外周面に球面を有する第一シャフト受け部材と、
一端の内周面に前記第一シャフト受け部材の他端側の球面を受ける球面状の凹部を有する第二シャフト受け部材と、
を有するユニバーサルユニットを備え、
前記シャフトの球面と前記第一シャフト受け部材の凹部とが摺接し、且つ前記第一シャフト受け部材の他端側の球面と前記第二シャフト受け部材の凹部とが摺接することを特徴とするパネル取付装置が提供される。
【０００９】
また、本考案によると、
一端に球面を有し他端に雌ネジを設けたシャフトと、
一端の内周面に前記シャフトの球面と揺動可能に嵌合する球面状の凹部を有し、他端の内周面に前記他端側に向けて漸次拡径する孔加工が施された遊び部を有し、前記他端の外周面に球面を有する第一シャフト受け部材と、
一端の内周面に前記第一シャフト受け部材の他端側の球面を受ける球面状の凹部を有する第二シャフト受け部材と、
を有するユニバーサルユニットを備え、
前記シャフトの球面と前記第一シャフト受け部材の凹部とが摺接し、且つ前記第一シャフト受け部材の他端側の球面と第二シャフト受け部材の凹部とが摺接することを特徴とするパネル取付装置が提供される。
【００１０】
また、前記第二シャフト受け部材は、他端に雌ネジを有し、前記シャフトと螺着するようにしてもよい。
【００１１】
また、本考案によると、
一端に平面形状を有し、他端の内周面に雌ネジを設け、前記他端の外周面には雄ネジを設けたハウジングと、
前記ハウジングとの間でパネルを挟持する前記ハウジングの外周面の雄ネジと螺合する雌ネジを有する化粧ナットと、
パネルの貫通孔と前記ハウジングとの間に介装されるパネルライナーと、
前記化粧ナットとパネルとの間に介装されるワッシャーとを備えることを特徴とする請求項１又は２に記載のパネル取付装置が提供される。
【考案の効果】
【００１２】
本考案によれば、２箇所の揺動可能に摺接する球面６２と８１及び８２と７１により、風圧や地震によってパネルに加えられる外部応力を吸収することができ、特に本パネル取付装置に対して圧縮する方向にかかる外部応力をシャフトが直接受けることなく、第二シャフト受け部材が受けることとなるため、シャフトにかかる荷重を軽減することができ、取付け上の信頼性が向上するという効果を有する。
【００１３】
また、本考案によれば、ハウジング３が螺着されることによって、水密性を確保するができると共にパネル面とハウジング３の室外側面とを面一とすることにより、意匠性に優れた壁面が形成されるという効果を有する。
【００１４】
また、本考案によれば、シャフトにネジ加工をして建物の構造体に直接ないし間接に取付ける構成とすることなく、シャフト内周面を外付けのボルトを受け容れ可能な形状とすることにより、外付けのボルトによって、パネル取付け装置を建物の構造体に螺合する構成とするため、さらに取付け上の信頼性が向上するという効果を有する。
【００１５】
また、本考案によれば、第一シャフト受け部材８Ｂがシャフト球面６２に対して揺動可能に嵌合し、かつ、シャフトが構造体（躯体）側に抜けるのを防止するシャフト受けの役割を果たすと共に、ワッシャー４を介して化粧ナット５と螺合することによってパネル１を挟持するハウジングの役割をも果たすため、シャフト受けとハウジングを別々の部材で構成した場合と比較して、取付作業工数を削減することが可能となるだけでなく水密性が向上するという効果を有する。また、本考案によれば、シャフト受けの役割とハウジングの役割を果たす第一シャフト受け部材８Ｂの略中心部に開口部を設け、カバー３０を後から
ネジ３７により第一シャフト受け部材８Ｂに螺着する構成であることから、先にユニバーサルユニット９Ｃ又はユニバーサル９Ｄと化粧ナットとの間にパネルを挟持した後に、シャフト６Ａ又はシャフト６Ｂの羅着用六角穴６１を利用し、パネル取付装置を建物の構造体（躯体）側に直接または間接に取り付けることが可能となり、作業性が向上するという効果を有する。また、同様に、シャフト受けの役割とハウジングの役割を果たす第一シャフト受け部材８Ｂの略中心部に開口部を設け、カバー３０を後からネジ３７により第一シャフト受け部材８Ｂに螺着する構成であることから、先にユニバーサルユニット９Ｅと化
粧ナットとの間にパネルを挟持した後に、外付けボルト１００を利用し、パネル取付装置を建物の構造体（躯体）側に直接または間接に取り付けることが可能となり、作業性が向上するという効果を有する。
【考案を実施するための最良の形態】
【００１６】
以下、本考案の実施例について図を用いながら説明する。但し、本考案は多くの異なる態様で実施することが可能であり、以下に示す実施例の記載内容に限定して解釈されるものではない。なお、本実施例で参照する図面において、同一要素、同一部分又は同様な機能を有する部分には同一の符号を付し、その繰り返しの説明は省略する。
【実施例１】
【００１７】
実施例１に係る本考案のパネル取付装置を図１〜図３を用いて説明する。図１は、実施例１に係る本考案のパネル取付装置を板ガラス等の壁体を構成するパネル１に装着した状態を示す縦断面図である。なお、本実施例においては、パネル１として板ガラスを用いた例について説明するが、板ガラスとしては、透明、不透明なガラス、又は貼り合わせガラス等が用いられ得る。また、板ガラスの代わりに結晶化ガラスを用いても良いことは言うまでもない。さらには、板ガラスの代わりに石材、石膏ボード等の板状部材を用いることもできる。
【００１８】
図１において、１はパネル、２はパネルライナー、３Ａはハウジング、４はワッシャー、５は化粧ナット、６Ａはシャフト、７は第二シャフト受け部材、８Ａは第一シャフト受け部材である。
【００１９】
図２は、実施例１のパネル取付装置の分解図である。本実施例においては、図２に示すとおり、パネル１は、室外側開口部１１に皿穴加工された傾斜部１３を有する。
【００２０】
ユニバーサルユニット９Ａは、一端に球面６２が他端に雄ネジ６４が一体成形されて建築物の構造体に取り付けられるシャフト６Ａと、一端の内周面中間部に該球面６２と揺動可能に嵌合しかつ該シャフト６Ｃの他端側から抜き差し可能な球面状に形成された凹部８１を有し他端の内周面に他端側に向けて漸次拡径する孔加工が施された遊び部８４を有し且つ他端の外周面にも球面８２を有する第一シャフト受け部材８Ａと、一端の内周面に該第一シャフト受け部材他端側の球面８２と揺動可能に摺接する凹部７１を有し且つ他端側の
内周面に設けられた雌ネジ７２が該シャフト６Ａの球面ナット螺合用雄ネジ６３と螺合する球面ナット７とから構成される。
【００２１】
ユニバーサルユニット９Ａは、パネル１の室外側開口部１１からパネルライナー２を介して挿通されるハウジング３と結合されるようになっている。具体的には、ユニバーサルユニット９Ａを構成する第一シャフト受け部材８Ａの一端側外周面に設けられた雄ネジ８３とハウジング３の他端側内周面に設けられた雌ネジ３３とを螺着させることによって結合される。
【００２２】
さらに、ハウジング３と結合されたユニバーサルユニット９Ａは、ワッシャー４を介して、化粧ナット５と結合されることによって、パネル１を挟持する。具体的には、化粧ナット５の内周面に設けられた雌ネジ５１とハウジング３他端側の外周面に設けられた雄ネジ３４とを螺着させることによって結合される。
【００２３】
また、シャフト６Ａの他端側に設けられた雄ネジは、建築物の構造体に直接的または間接的に螺着し、パネル１を構造体に取り付ける役割を果たす。
【００２４】
なお、図２における符合３２と符合５２とは、化粧ナット５とハウジング３とを緊締螺着する際に用いられる掛止孔（ホール）を示す。この緊締螺着する際に用いられる掛止孔は実施例１から後述する実施例５までに共通する構成である。
【００２５】
次に、本実施例に係る本考案のパネル取付装置において、パネル１に加えられる外部応力を吸収する構造を図３を用いて説明する。図３（イ）〜（ロ）は、実施例１のパネル取付装置を構成するユニバーサルユニット９Ａの動きを示す説明図である。図３（イ）及び（ロ）は、それぞれ、平常時のユニバーサルユニット９Ａと第一シャフト受け部材８Ａとの状態を示す断面図及び外観図である。また、図３（ハ）及び（ニ）は、パネル１に対して矢印で示す方向に応力が生じた場合のユニバーサルユニット９Ａと第一シャフト受け部材８Ａとの状態を示す断面図及び外観図である。
【００２６】
図３（ハ）及び（ニ）に示すとおり、ユニバーサルユニット９Ａは、シャフト球面６２に対して揺動可能に第一シャフト受け部材凹部８１が嵌合され、さらに、第一シャフト受け部材他端側の球面８２が揺動可能に球面ナット凹部７１と摺接することによって、それぞれ２箇所の球面でパネル１の揺動による応力を受けることができるように構成されている。この２箇所の球面によってパネル１の揺動による応力を吸収する構成は、実施例１から実施例５までに共通する構成である。
【００２７】
本実施例に係る本考案のパネル取付装置によれば、２箇所の揺動可能に摺接する球面により、風圧や地震によってパネルに加えられる外部応力を吸収することができ、特に本パネル取付装置に対して圧縮する方向にかかる外部応力をシャフトが直接受けることなく、第二シャフト受け部材が受けることをなるため、シャフトにかかる荷重を軽減することができ、取付け上の信頼性が向上するという効果を有する。
【実施例２】
【００２８】
次に、実施例２に係る本考案のパネル取付装置を図４（ロ）、図５（ロ）及び図６に基づいて説明する。図６は、実施例２のパネル取付装置を板ガラス等のパネルに装着した状態を示す縦断面図である。
【００２９】
実施例２のパネル取付装置と実施例１のパネル取付装置とは、同様の構成を有している。実施例２のパネル取付装置と実施例１のパネル取付装置との相違点は、実施例１のパネル取付装置は、図４（イ）及び図５（イ）に示すように、本考案のパネル取付装置を構成するユニバーサルユニット９Ａのシャフト６Ａ他端側に雄ネジが設けられているのに対して、実施例２のパネル取付装置は、図４（ロ）及び図５（ロ）に示すように、本考案のパネ
ル取付装置を構成するユニバーサルユニット９Ｂのシャフト６Ｂ他端側内周面に雌ネジが設けられているという点である。実施例２のパネル取付装置は上述の実施例１のパネル取付装置と同様の作用・効果を有している。
【００３０】
この実施例２のパネル取付装置によれば、本考案のパネル取付装置を取り付ける建築物の構造体側が雄ネジであっても取り付け可能となる。
【実施例３】
【００３１】
実施例３に係る本考案のパネル取付装置を図５、図７〜図１０を用いて説明する。図７は実施例３に係る本考案のパネル取付装置を板ガラス等の壁体を構成するパネル１に装着した状態を示す縦断面図である。図７において、１はパネル、２はパネルライナー、３０はカバー、４はワッシャー、５は化粧ナット、６Ａはシャフト、７は球面ナット、８Ｂは一体型第一シャフト受け部材である。
【００３２】
図８は実施例３に係る本考案のパネル取付装置の分解図である。ユニバーサルユニット９Ｃは、一端に球面６２が他端に雄ネジ６４が一体成形されて建築物の構造体に取り付けられるシャフト６Ａと、一端の内周面中間部に該球面６２と揺動可能に嵌合しかつ該シャフト６Ａの他端側から抜き差し可能な球面状に形成された凹部８１を有し他端の内周面に他端側に向けて漸次拡径する孔加工が施された遊び部８４を有し且つ他端の外周面にも球面８２を有するだけでなく外周面に前記化粧ナット５との間でパネル１を挟持する前記化粧ナット５の雌ネジと螺合する雄ネジを有する第一シャフト受け部材８Ｂと、一端の内周面に該一体型第一シャフト受け部材他端側の球面８２と揺動可能に摺接する凹部７１を有し且つ他端側の内周面に設けられた雌ネジ７２が該シャフト６Ａの球面ナット螺合用雄ネジ６３と螺合する球面ナット７とから構成される。
【００３３】
ユニバーサルユニット９Ｃは、ワッシャー４を介して、化粧ナット５と結合されることによって、パネル１を挟持する。具体的には、化粧ナット５の内周面に設けられた雌ネジ５１と一体型第一シャフト受け部材８０Ｂ外周面に設けられた雄ネジ３４とを螺着させることによって結合される。
【００３４】
また、シャフト６Ａの他端側に設けられた雄ネジは、建築物の構造体に直接的または間接的に螺着し、パネル１を構造体に取り付ける役割を果たす。
【００３５】
また、ＯリングＡ３５、ＯリングＢ３６、及びＯリングＣ２２は、緩衝材であり、ＯリングＡ３５によって一体型第一シャフト受け部材８Ｂとパネルライナー２との水密性が確保され、ＯリングＢ３６によってカバー３０と一体型第一シャフト受け部材８Ｂとの水密性が確保され、ＯリングＣ２２によってパネルライナー２とパネル１との水密性が確保される。
【００３６】
図９は実施例３に係る本考案の特徴である一体型第一シャフト受け部材８Ｂの断面図である。実施例３は前記実施例１及び実施例２と異なり、ハウジングとシャフト受けを別々の部材で構成することなく一体として製作された一体型第一シャフト受け部材８Ｂが、ハウジングの役割とシャフト受けの役割双方を果たしている。図９において、内周面中間部に設けられた凹部８１はシャフト６Ａの球面６２と揺動可能に嵌合しかつ該シャフト６Ａの他端側から抜き差し可能に球面状に形成されている。球面８２は球面ナット７の凹部７１と摺接可能となるように球面加工が施されている。雄ネジ３４は該一体型第一シャフト受け部材８Ｂと化粧ナット５との間にパネル１を挟持するために化粧ナット５の雌ネジ５１と螺合締結することに用いられる。他端の内周面に他端側に向けて漸次拡径する孔加工が施された遊び部８４はシャフト６Ａの球面６２と前記凹部８１、及び球面８２と球面ナット７の凹部７１の２箇所の球面が摺接することによりユニバーサルユニット９Ｃが揺動するように設けられた斜面である。ネジ穴８５は該一体型第一シャフト受け部材８Ｂの室外側開口部を閉塞するカバー３０と該一体型第一シャフト受け部材８Ｂとを螺合するネジ３７用のネジ穴である。
【００３７】
図１０は図３と同様に本実施例に係る本考案のパネル取付装置において、パネル１に加えられる外部応力を吸収する動きを示す説明図である。図１０（イ）及び（ロ）は、それぞれ、平常時のユニバーサルユニット９Ｃと一体型第一シャフト受け部材８Ｂとの状態を示す断面図及び外観図である。また、図１０（ハ）及び（ニ）は、パネル１に対して矢印で示す方向に応力が生じた場合のユニバーサルユニット９Ｃと一体型第一シャフト受け部材８Ｂとの状態を示す断面図及び外観図である。
【実施例４】
【００３８】
本考案のパネル取付装置の実施例４を図４（ロ）、図５（ニ）、図１１に基づいて説明する。図１１は、実施例４のパネル取付装置を板ガラス等のパネルに装着した状態を示す縦断面図である。
【００３９】
実施例３のパネル取付装置と実施例４のパネル取付装置との相違点は、前記実施例３のシャフト他端側が雄ネジであるのに対し、実施例４はシャフト他端側に雌ネジが設けられているという点である。この実施例４によれば、パネル取付装置を取り付ける建築物の構造体側が雄ネジであっても取り付け可能となる。
【実施例５】
【００４０】
本考案のパネル取付装置の実施例５を図４（ハ）、図５（ホ）、図１２に基づいて説明する。図１２は、実施例５のパネル取付装置を板ガラス等のパネルに装着した状態を示す縦断面図である。
【００４１】
実施例５のパネル取付装置は図４（ハ）、図５（ホ）及び図１２に示すように、外部取付けボルト１０を受け容れ可能なシャフト６Ｃを用いたユニバーサルユニット９Ｅを形成することにより、外部取付けボルト１００を使用して、パネル取付装置を建物の構造体側に直接または間接に取り付ける作業効率と取付け信頼性を確保することが可能となる。
【実施例６】
【００４２】
上述した実施例１乃至５に係る本考案のパネル取付装置は、壁、床、天井等に用いるガラス、石材、石膏ボード等の板状部材のパネル材の施工体に用いることができ、本考案のパネル取付装置を用いた施工体を有するビル等の建物は、意匠性に優れ、非常に信頼性の高い壁体構造を有する。
【図面の簡単な説明】
【００４３】
【図１】実施例１のパネル取付装置を板ガラスに装着した状態を示す縦断面図。
【図２】実施例１のパネル取付装置の分解図。
【図３】実施例１のパネル取付装置を構成するユニバーサルユニット９Ａの動きを示す説明図。
【図４】（イ）はシャフト６Ａ、（ロ）はシャフト６Ｂ、（ハ）はシャフト６Ｃの断面図。
【図５】（イ）はユニバーサルユニット９Ａ、（ロ）はユニバーサルユニット９Ｂ、（ハ）はユニバーサルユニット９Ｃの断面図、（ニ）はユニバーサルユニット９Ｄの断面図、（ホ）はユニバーサルユニット９Ｅの断面図。
【図６】実施例２のパネル取付装置を板ガラスに装着した状態を示す縦断面図。
【図７】実施例３のパネル取付装置を板ガラスに装着した状態を示す縦断面図。
【図８】実施例３のパネル取付装置の分解図。
【図９】第一シャフト受け部材８Ｂの断面図。
【図１０】実施例３のパネル取付装置を構成するユニバーサルユニット９Ｄの動きを示す説明図。
【図１１】実施例４のパネル取付装置を板ガラスに装着した状態を示す縦断面図。
【図１２】実施例５のパネル取付装置を板ガラスに装着した状態を示す縦断面図。
【図１３】従来の取付け金具の断面図。
【符号の説明】
【００４４】
１  パネル
１１  室外側開口部
１２  室内側開口部
１３、２１、３１  斜面
２  パネルライナー
２２、３５、３６  Ｏリング
３  ハウジング
３２、５２  掛止孔（ホール）
３３、５１、７２  雌ネジ
３４、６４、８３  雄ネジ  
３７  ネジ
３８  ツメ状部
４  ワッシャー
５  化粧ナット
６Ａ  シャフトＡ
６Ｂ  シャフトＢ
６Ｃ  シャフトＣ
６１  羅着用六角穴
６２、８２  球面
６３  球面ナット螺合用雄ネジ
７  第二シャフト受け部材（球面ナット）
７１、８１  凹部
８Ａ、８Ｂ  第一シャフト受け部材（球面ソケット）    
８４  遊び部
８５  ネジ穴
９Ａ  ユニバーサルユニットＡ
９Ｂ  ユニバーサルユニットＢ
９Ｃ  ユニバーサルユニットＣ
９Ｄ  ユニバーサルユニットＤ
９Ｅ  ユニバーサルユニットＥ
１００  外部取付けボルト
３０  カバー
【図１】
0003118637.tif 000003
【図２】
0003118637.tif 000004
【図３】
0003118637.tif 000005
【図４】
0003118637.tif 000006
【図５】
0003118637.tif 000007
【図６】
0003118637.tif 000008
【図７】
0003118637.tif 000009
【図８】
0003118637.tif 000010
【図９】
0003118637.tif 000011
【図１０】
0003118637.tif 000012
【図１１】
0003118637.tif 000013
【図１２】
0003118637.tif 000014
【図１３】
0003118637.tif 000015